(57)【要約】【課題】膜部材を適正な挟持力にて挟持させることができ、膜部材のシールを十分に維持させつつ破損を防止することができるトランスデューサ保護フィルタを提供する。【解決手段】第１ハウジング部材６ａと、第２ハウジング部材６ｂと、疎水性の膜部材６ｃと、膜部材６ｃの外周縁部に当接して挟持する第１挟持面６ａｂ及び第２挟持面６ｂｂとを具備したトランスデューサ保護フィルタにおいて、挟持部αは、第１挟持面６ａｂ及び第２挟持面６ｂｂの間の離間寸法が適正に設定された適正挟持範囲Ａと、適正挟持範囲Ａより当該離間寸法が大きく設定された第１挟持範囲Ｂと、適正挟持範囲Ａより離間寸法が小さく設定された第２挟持範囲Ｃとを有するとともに、適正挟持範囲Ａを挟んで第１挟持範囲Ｂ及び第２挟持範囲Ｃが膜部材６ｃの径方向に対して連続的に設定されたものである。【選択図】図５
2014204779.tif 000002
【特許請求の範囲】
【請求項１】
血液回路に連通する第１連通孔を有した第１ハウジング部材と、
該第１ハウジング部材に組み付けられるとともに、前記第１連通孔と連通した第２連通孔を有した第２ハウジング部材と、
前記第１ハウジング部材と第２ハウジング部材との間で挟持され、前記第１連通孔及び第２連通孔との間に介装される疎水性の膜部材と、
前記第１ハウジング部材及び第２ハウジング部材の前記膜部材を挟持する挟持部にそれぞれに形成され、当該第１ハウジング部材と前記第２ハウジング部材とが組み付けられた状態で、前記膜部材の外周縁部に当接して挟持する第１挟持面及び第２挟持面と、
を具備したトランスデューサ保護フィルタにおいて、
前記挟持部は、当該第１挟持面及び第２挟持面の間の離間寸法が適正に設定された適正挟持範囲と、該適正挟持範囲より当該離間寸法が大きく設定された第１挟持範囲と、前記適正挟持範囲より離間寸法が小さく設定された第２挟持範囲とを有するとともに、前記適正挟持範囲を挟んで前記第１挟持範囲及び第２挟持範囲が前記膜部材の径方向に対して連続的に設定されたことを特徴とするトランスデューサ保護フィルタ。
【請求項２】
前記挟持部には、前記適正挟持範囲を挟んで内径側に前記第１挟持範囲、及び外径側に前記第２挟持範囲が設定されたことを特徴とする請求項１記載のトランスデューサ保護フィルタ。
【請求項３】
前記第１挟持面又は第２挟持面は、前記膜部材の径方向に対して傾斜したテーパ面から成り、当該テーパ面により前記適正挟持範囲、第１挟持範囲及び第２挟持範囲が設定されたことを特徴とする請求項１又は請求項２記載のトランスデューサ保護フィルタ。
【請求項４】
前記膜部材が振動した際、前記第１挟持面に対する振動の支点と前記第２支持面に対する振動の支点とが径方向で異なる位置とされたことを特徴とする請求項１〜３の何れか１つに記載のトランスデューサ保護フィルタ。
【請求項５】
前記第１ハウジング部材及び第２ハウジング部材は、組み付けられた状態で超音波溶着により固着されることを特徴とする請求項１〜４の何れか１つに記載のトランスデューサ保護フィルタ。
【発明の詳細な説明】
【技術分野】
【０００１】
本発明は、液体の流通を規制しつつ気体の流通を許容する疎水性の膜部材を具備したトランスデューサ保護フィルタに関するものである。
【背景技術】
【０００２】
一般に、血液浄化療法、例えば透析治療においては、患者の血液を体外循環させるべく可撓性チューブから成る血液回路が使用されている。この血液回路は、患者から血液を採取する動脈側穿刺針が先端に取り付けられた動脈側血液回路と、患者に血液を戻す静脈側穿刺針が先端に取り付けられた静脈側血液回路とから主に構成され、これら動脈側血液回路と静脈側血液回路との間にダイアライザを介在させ、体外循環する血液の浄化を行っている。
【０００３】
静脈側血液回路の途中には、通常、静脈側エアトランプチャンバが形成されており、体外循環する血液の除泡を行い得るよう構成されている。かかる静脈側ドリップチャンバの空気層側からは、例えば可撓性チューブから成るモニタ用チューブが延設されており、その先端側には、透析装置本体内に配設されたトランスデューサ（圧力センサ）が接続されているとともに、当該トランスデューサにて透析治療中における静脈側血液回路を流れる患者の血液の圧力（静脈圧）をリアルタイムで検出し得るようになっている。
【０００４】
そして、トランスデューサにて検出された圧力が予め設定された上限値又は下限値から成る警報範囲を超えたか否かを判別し、超えた場合には何らかの不具合（患者の容態変化や穿刺針の抜け等）が生じた可能性があると判定して所定の警報を行うよう構成されている。また、モニタ用チューブの先端部（透析装置本体との接続部位）には、液体の流通を規制しつつ気体の流通を許容する疎水性の膜部材を有したトランスデューサ保護フィルタが取り付けられていた。
【０００５】
かかるトランスデューサ保護フィルタは、従来、モニタ用チューブの先端部に取り付け可能な第１ハウジング部材と、第１ハウジング部材に組み付けられるとともに血液透析装置に取り付け可能な第２ハウジング部材と、これら第１ハウジング部材及び第２ハウジング部材により外周縁部が挟持される疎水性の膜部材とを有して構成されている（例えば、特許文献１参照）。このような膜部材により、静脈側エアトラップチャンバの空気層側の空気をトランスデューサ側に通過させて静脈圧を検出させ得るとともに、何らかの原因により、静脈側エアトラップチャンバからモニタ用チューブに患者の血液がオーバーフローした場合であっても、その血液の流通を規制してトランスデューサ側に至ってしまうのを回避することができる。
【先行技術文献】
【特許文献】
【０００６】
【特許文献１】特開２００６−１４９６３５号公報
【発明の概要】
【発明が解決しようとする課題】
【０００７】
しかしながら、上記従来技術においては、第１ハウジング部材及び第２ハウジング部材の挟持部に寸法精度のばらつきが生じてしまうことがあり、その場合、当該第１ハウジング部材及び第２ハウジング部材により膜部材の外周縁部を挟持させる際、挟持力にばらつきが生じ得てしまう虞がある。しかるに、挟持力が強すぎると膜部材が破損してしまう虞があるとともに、挟持力が弱すぎると膜部材の外周縁部に対するシールが不十分となり、その部位で液体が流通してしまう虞があった。
【０００８】
本発明は、このような事情に鑑みてなされたもので、膜部材を適正な挟持力にて挟持させることができ、膜部材のシールを十分に維持させつつ破損を防止することができるトランスデューサ保護フィルタを提供することにある。
【課題を解決するための手段】
【０００９】
請求項１記載の発明は、血液回路に連通する第１連通孔を有した第１ハウジング部材と、該第１ハウジング部材に組み付けられるとともに、前記第１連通孔と連通した第２連通孔を有した第２ハウジング部材と、前記第１ハウジング部材と第２ハウジング部材との間で挟持され、前記第１連通孔及び第２連通孔との間に介装される疎水性の膜部材と、前記第１ハウジング部材及び第２ハウジング部材の前記膜部材を挟持する挟持部にそれぞれに形成され、当該第１ハウジング部材と前記第２ハウジング部材とが組み付けられた状態で、前記膜部材の外周縁部に当接して挟持する第１挟持面及び第２挟持面とを具備したトランスデューサ保護フィルタにおいて、前記挟持部は、当該第１挟持面及び第２挟持面の間の離間寸法が適正に設定された適正挟持範囲と、該適正挟持範囲より当該離間寸法が大きく設定された第１挟持範囲と、前記適正挟持範囲より離間寸法が小さく設定された第２挟持範囲とを有するとともに、前記適正挟持範囲を挟んで前記第１挟持範囲及び第２挟持範囲が前記膜部材の径方向に対して連続的に設定されたことを特徴とする。
【００１０】
請求項２記載の発明は、請求項１記載のトランスデューサ保護フィルタにおいて、前記挟持部には、前記適正挟持範囲を挟んで内径側に前記第１挟持範囲、及び外径側に前記第２挟持範囲が設定されたことを特徴とする。
【００１１】
請求項３記載の発明は、請求項１又は請求項２記載のトランスデューサ保護フィルタにおいて、前記第１挟持面及び第２挟持面は、前記膜部材の径方向に対して傾斜したテーパ面から成り、当該テーパ面により前記適正挟持範囲、第１挟持範囲及び第２挟持範囲が設定されたことを特徴とする。
【００１２】
請求項４記載の発明は、請求項１〜３の何れか１つに記載のトランスデューサ保護フィルタにおいて、前記膜部材が振動した際、前記第１挟持面に対する振動の支点と前記第２支持面に対する振動の支点とが径方向で異なる位置とされたことを特徴とする。
【００１３】
請求項５記載の発明は、請求項１〜４の何れか１つに記載のトランスデューサ保護フィルタにおいて、前記第１ハウジング部材及び第２ハウジング部材は、組み付けられた状態で超音波溶着により固着されることを特徴とする。
【発明の効果】
【００１４】
請求項１の発明によれば、挟持部は、第１挟持面及び第２挟持面の間の離間寸法が適正に設定された適正挟持範囲と、該適正挟持範囲より当該離間寸法が大きく設定された第１挟持範囲と、適正挟持範囲より離間寸法が小さく設定された第２挟持範囲とを有するとともに、適正挟持範囲を挟んで第１挟持範囲及び第２挟持範囲が膜部材の径方向に対して連続的に設定されたので、膜部材を適正な挟持力にて挟持させることができ、膜部材のシールを十分に維持させつつ破損を防止することができる。
【００１５】
請求項２の発明によれば、挟持部には、適正挟持範囲を挟んで内径側に第１挟持範囲、及び外径側に第２挟持範囲が設定されたので、第２挟持範囲において膜部材が破損したとしても、その内径側に適正挟持範囲が位置するため、膜部材のシールをより確実に維持することができる。
【００１６】
請求項３の発明によれば、第１挟持面及び第２挟持面は、膜部材の径方向に対して傾斜したテーパ面から成り、当該テーパ面により適正挟持範囲、第１挟持範囲及び第２挟持範囲が設定されたので、第１挟持面及び第２挟持面をより精度よく形成することができる。
【００１７】
請求項４の発明によれば、膜部材が振動した際、第１挟持面に対する振動の支点と第２支持面に対する振動の支点とが径方向で異なる位置とされたので、振動による負荷が集中してしまうのを回避でき、膜部材の寿命を向上させることができる。
【００１８】
請求項５の発明によれば、第１ハウジング部材及び第２ハウジング部材は、組み付けられた状態で超音波溶着により固着されるので、より確実且つ良好に第１ハウジング部材と第２ハウジング部材とを組み付けることができるとともに、超音波溶着時の振動が挟持部に伝達しても、膜部材のシールを十分に維持させつつ破損を防止することができる。
【図面の簡単な説明】
【００１９】
【図１】本発明の実施形態に係るトランスデューサ保護フィルタが適用される血液浄化装置を示す模式図
【図２】同トランスデューサ保護フィルタを示す斜視図
【図３】同トランスデューサ保護フィルタを示す平面図及び正面図
【図４】図３におけるＩＶ−ＩＶ線断面図
【図５】同トランスデューサ保護フィルタにおける挟持部を示す拡大図
【図６】同トランスデューサ保護フィルタにおける第１ハウジング部材を示す平面図、正面図及び底面図
【図７】同第１ハウジング部材の内部構成を示すための縦断面図
【図８】同トランスデューサ保護フィルタにおける第２ハウジング部材を示す平面図、正面図及び底面図
【図９】同第２ハウジング部材の内部構成を示すための縦断面図
【図１０】同トランスデューサ保護フィルタにおける膜部材が振動した際の作用を示す模式図
【図１１】本発明の他の実施形態（第２ハウジング部材の第２挟持面がテーパ状）に係るトランスデューサ保護フィルタにおける挟持部を示す模式図
【図１２】本発明の他の実施形態（第１ハウジング部材の第１挟持面及び第２ハウジング部の第２挟持面がテーパ状）に係るトランスデューサ保護フィルタにおける挟持部を示す模式図
【図１３】本発明の他の実施形態（第１挟持範囲と第２挟持範囲とが適正挟持範囲に対して反対の位置）に係るトランスデューサ保護フィルタにおける挟持部を示す模式図
【図１４】本発明の他の実施形態（第１ハウジング部材の第１挟持面が波形）に係るトランスデューサ保護フィルタにおける挟持部を示す模式図
【図１５】本発明の他の実施形態（挟持面が曲線状）に係るトランスデューサ保護フィルタにおける挟持部を示す模式図
【図１６】本発明の他の実施形態（挟持面に凸部を形成したもの）に係るトランスデューサ保護フィルタにおける挟持部を示す模式図
【発明を実施するための形態】
【００２０】
以下、本発明の実施形態について図面を参照しながら具体的に説明する。
本実施形態に係るトランスデューサ保護フィルタは、患者の血液を浄化させるための血液浄化装置に適用されたものであり、より具体的には、透析治療で使用される透析装置に適用されたものである。かかる透析装置は、図１に示すように、血液浄化手段としてのダイアライザ２が接続された血液回路１、及び当該ダイアライザ２に透析液を供給しつつ除水する透析装置本体５から主に構成されている。血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。
【００２１】
動脈側血液回路１ａには、その先端に動脈側穿刺針ａが接続されているとともに、途中にしごき型の血液ポンプ３が配設されている。一方、静脈側血液回路１ｂには、その先端に静脈側穿刺針ｂが接続されているとともに、途中に静脈側エアトラップチャンバ４が接続されている。そして、動脈側穿刺針ａ及び静脈側穿刺針ｂを患者に穿刺した状態で、血液ポンプ３を駆動させると、患者の血液は、動脈側血液回路１ａを通ってダイアライザ２に至り、該ダイアライザ２によって血液浄化が施された後、静脈側エアトラップチャンバ４にて除泡がなされつつ静脈側血液回路１ｂを通って患者の体内に戻るよう構成されている。これにより、患者の血液を血液回路１にて体外循環させつつダイアライザ２にて浄化可能とされている。
【００２２】
ダイアライザ２は、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体５から延設された透析液導入ラインＬ１及び透析液排出ラインＬ２とそれぞれ接続されている。
【００２３】
一方、静脈側エアトラップチャンバ４の空気層側（上部側）からは、モニタ用チューブＬ３が延設されており、かかるモニタ用チューブＬ３の先端部には、透析装置本体５の所定部位に取り付けられたトランスデューサ保護フィルタ６を有している。また、透析装置本体５内には、圧力センサとしての圧力トランスデューサ７が配設されており、モニタ用チューブＬ３と連通して接続されるよう構成されている。
【００２４】
すなわち、圧力トランスデューサ７は、静脈側エアトラップチャンバ４の空気層側と連通した所謂静脈圧センサから成り、透析治療中において、血液回路１（本実施形態においては静脈側血液回路１ｂ）を流れる患者の血液の圧力をリアルタイムで検出し得るよう構成されている。なお、圧力トランスデューサ７は、静脈側エアトラップチャンバ４における空気層側の空気圧を検出しており、かかる空気圧を検出することにより、静脈側血液回路１ｂを流れる血液の圧力を検出するよう構成されている。
【００２５】
また、圧力トランスデューサ７には、例えばマイコン等から成る監視手段８が電気的に接続されており、かかる監視手段８により、血液の体外循環過程における静脈圧（圧力トランスデューサ７で検出された圧力）をリアルタイムで監視し得るようになっている。なお、監視手段８には、検出した静脈圧を表示する表示手段や所定の警報を行い得る警報手段等（何れも不図示）が接続されており、所定の表示及び警報を行い得るよう構成されている。
【００２６】
本実施形態に係るトランスデューサ保護フィルタ６は、静脈側エアトラップチャンバ４の空気層と圧力トランスデューサ７との間に介在するとともに、空気の通過を許容して静脈圧を検出可能としつつ液体の通過を規制して静脈側エアトラップチャンバ４からオーバーフローした血液が圧力トランスデューサ７に至るのを回避し得るものである。より具体的には、トランスデューサ保護フィルタ６は、図２〜９に示すように、筐体としての第１ハウジング部材６ａ及び第２ハウジング部材６ｂと、フィルタとしての膜部材６ｃとから主に構成されている。
【００２７】
第１ハウジング部材６ａは、例えばポリカーボネート等の樹脂成形部品から成り、血液回路１（具体的には、静脈側血液回路１ｂにおける静脈側エアトラップチャンバ４の内部）に連通する第１連通孔６ａａを有したものである。なお、本実施形態に係る第１ハウジング部材６ａは、雌ネジ部６ａｃを有しており、かかる雌ネジ部６ａｃにモニタ用チューブＬ３の先端に形成された接続部（不図示）が螺合して接続可能とされている。
【００２８】
第２ハウジング部材６ｂは、例えばポリカーボネート等の樹脂成形部品から成り、第１ハウジング部材６ａに組み付けられるとともに、膜部材６ｃを介して第１連通孔６ａａと連通した第２連通孔６ｂａを有したものである。なお、本実施形態に係る第２ハウジング部材６ｂは、雄ネジ部６ｂｃを有しており、かかる雄ネジ部６ｂｃが透析装置本体５の所定部位に形成された接続部（不図示）に螺合して接続可能とされている。
【００２９】
膜部材６ｃは、第１ハウジング部材６ａと第２ハウジング部材６ｂとの間で挟持され、第１連通孔６ａａ及び第２連通孔６ｂａとの間に介装されるとともに、例えばＰＴＦＥ（ポリテトラフルホロエチレン）をシート状に成形したものから成り、液体の流通を規制しつつ気体の流通を許容する疎水性のものである。本実施形態に係る膜部材６ｃは、ＰＥＴ（ポリエチレン）等から成る不織布を基材として成り、当該不織布を含めた厚さが０．１〜０．５ｍｍ程度とされ、ＰＴＦＥの厚さはその１０分の１程度とされている。なお、本実施形態に係る膜部材６ｃは、ＰＥＴ（ポリエチレン）等から成る不織布を基材とし、その基材の表面にＰＴＦＥをシート状に貼り付けたものが使用されているが、他の形態（基材が異なる材質のもの、或いは基材を用いないもの等）としてもよい。また、膜部材６ｃの厚さも前述の数値範囲に限るものではなく、使用条件等に応じて適宜設計変更可能である。
【００３０】
しかるに、第１ハウジング部材６ａ及び第２ハウジング部材６ｂには、それぞれ溶着部βが形成されており、膜部材６ｃを挟持させた状態にて第１ハウジング部材６ａ及び第２ハウジング部材６ｂを組み付け、溶着部βを溶着させることにより両部材を固着し得るようになっている。本実施形態においては、溶着部βに対して超音波溶着装置により超音波振動を付与させて溶着させるものとされており、これにより、第１ハウジング部材６ａ及び第２ハウジング部材６ｂは、組み付けられた状態で超音波溶着により固着されて筐体を成すよう構成されている。
【００３１】
さらに、第１ハウジング部材６ａ及び第２ハウジング部材６ｂには、それぞれ膜部材６ｃを挟持するための挟持部αが形成されている。そして、第１ハウジング部材６ａの挟持部αには、第１挟持面６ａｂが形成されるとともに、第２ハウジング部材６ｂの挟持部αには、第２挟持面６ｂｂが形成されている。しかして、第１ハウジング部材６ａと第２ハウジング部材６ｂとが組み付けられた状態で、第１挟持面６ａｂと第２挟持面６ｂｂとが対峙しつつ、それぞれが膜部材６ｃの外周縁部の全周に亘って表裏面から当接して当該膜部材６ｃを挟持し得るようになっている。
【００３２】
ここで、本実施形態に係る挟持部αは、図５に示すように、第１挟持面６ａｂ及び第２挟持面６ｂｂの間の離間寸法が適正に設定された適正挟持範囲Ａと、適正挟持範囲Ａより当該離間寸法が大きく設定された第１挟持範囲Ｂと、適正挟持範囲Ａより離間寸法が小さく設定された第２挟持範囲Ｃとを有するとともに、適正挟持範囲Ａを挟んで第１挟持範囲Ｂ及び第２挟持範囲Ｃが膜部材６ｃの径方向（同図中左右方向）に対して連続的に設定されている。
【００３３】
適正挟持範囲Ａは、第１ハウジング部材６ａ及び第２ハウジング部材６ｂの成形誤差（挟持部αの第１挟持面６ａｂ及び第２挟持面６ｂｂに生じた誤差）が極めて小さく、且つ、膜部材６ｃの被挟持部の厚さにばらつき等がなく、何れも設計寸法通りであると仮定した場合に膜部材６ｃに対する適切な挟持力を得ることができる離間寸法とされる。ここで、「適切な挟持力」とは、膜の押さえが弱すぎるために生じるリークや、膜の押さえが強すぎるために生じる膜破損などを生じさせない程度の挟持力である。また、第１挟持範囲Ｂにおいては、適正挟持範囲Ａより離間寸法が大きいため、設計寸法通りであれば適正であろう挟持力よりも弱い挟持力を得ることができるとともに、第２挟持範囲Ｃにおいては、適正挟持範囲Ａより離間寸法が小さいため、設計寸法通りであれば適正であろう挟持力よりも強い挟持力を得ることができる。
【００３４】
しかるに、本実施形態に係る第１挟持面６ａｂは、膜部材６ｃの径方向に対して傾斜したテーパ面（所定の傾斜角を有する勾配面）から成るとともに、第２挟持面６ｂｂは、膜部材６ｃの径方向に対して略平行な水平面から成り、当該テーパ面（すなわち、テーパ面と水平面）により適正挟持範囲Ａ、第１挟持範囲Ｂ及び第２挟持範囲Ｃが設定されている。なお、テーパ面である第１挟持面６ａｂは、隣接する面と緩やかな曲面で接続されており、角などのエッジ部分を生じないように形成されている。
【００３５】
特に、本実施形態に係る第１挟持面６ａｂは、膜部材６ｃの外径に向かうに従って第２挟持面６ｂｂとの離間寸法が小さくなる如き勾配（外径に向かって下り勾配）のテーパ面とされている。これにより、本実施形態に係る挟持部αには、適正挟持範囲Ａを挟んで内径側（同図左側）に第１挟持範囲Ｂ、及び外径側（同図右側）に第２挟持範囲Ｃが設定されている。
【００３６】
これにより、径方向の内側から外側に行くに従って、２つの挟持面６ａｂ、６ｂｂによる挟持力が徐々に大きくなるので、第１ハウジング部材６ａ、第２ハウジング部材６ｂ又は膜部材６ｃに組付け誤差や成形誤差等があっても、当該誤差に伴う挟持力の変化を吸収させることができる。
【００３７】
本実施形態によれば、挟持部αは、第１挟持面６ａｂ及び第２挟持面６ｂｂの間の離間寸法が適正に設定された適正挟持範囲Ａと、適正挟持範囲Ａより当該離間寸法が大きく設定された第１挟持範囲Ｂと、適正挟持範囲Ａより離間寸法が小さく設定された第２挟持範囲Ｃとを有するとともに、適正挟持範囲Ａを挟んで第１挟持範囲Ｂ及び第２挟持範囲Ｃが膜部材６ｃの径方向に対して連続的に設定されたので、膜部材６ｃを適正な挟持力にて挟持させることができ、膜部材６ｃのシールを十分に維持させつつ破損を防止することができる。
【００３８】
また、本実施形態に係る挟持部αには、適正挟持範囲Ａを挟んで内径側に第１挟持範囲Ｂ、及び外径側に第２挟持範囲Ｃが設定されたので、適正挟持範囲Ａの内側の挟持力を弱く、且つ、適正挟持範囲Ａの外側の挟持力を強くすることができ、第２挟持範囲Ｃにおいて膜部材６ｃが破損したとしても、その内径側に適正挟持範囲Ａが位置するため、膜部材６ｃのシールをより確実に維持することができる。
【００３９】
さらに、本実施形態に係る第１挟持面６ａｂ及び第２挟持面６ｂｂは、膜部材６ｃの径方向に対して傾斜したテーパ面から成り、当該テーパ面により適正挟持範囲Ａ、第１挟持範囲Ｂ及び第２挟持範囲Ｃが設定されたので、テーパ面の傾斜角度（勾配角度）に応じて挟持力を変化させることができ、第１挟持面Ｂ及び第２挟持面Ｃをより精度よく形成することができる。
【００４０】
またさらに、本実施形態に係る第１ハウジング部材６ａ及び第２ハウジング部材６ｂは、組み付けられた状態で超音波溶着により固着されるので、より確実且つ良好に第１ハウジング部材６ａと第２ハウジング部材６ｂとを組み付けることができるとともに、超音波溶着時の振動が挟持部αに伝達しても、膜部材６ｃのシールを十分に維持させつつ破損を防止することができる。なお、本実施形態においては、第１ハウジング部材６ａ及び第２ハウジング部材６ｂが超音波溶着にて固着されているが、これに限定されるものではなく、例えばレーザー溶着により第１ハウジング部材６ａ及び第２ハウジング部材６ｂを溶着するようにしてもよい。また、膜部材６ｃは、本実施形態の如く挟持部αにて挟持されているものに限らず、当該挟持部αに溶着されていてもよい。
【００４１】
また、本実施形態によれば、例えば血液透析中において、血液ポンプ３の駆動によって生じる脈動が静脈側エアトラップチャンバ４の空気層を振動させ、その振動が膜部材６ｃに伝わっても、振動による負荷が集中してしまうのを回避できるよう構成されている。すなわち、図１０で示すように、振動により膜部材６ｃが図中上方へ変位する際（同図（ａ）参照）、第１挟持面６ａｂの位置Ｐ１が支点とされるとともに、振動により膜部材６ｃが図中下方へ変位する際（同図（ｂ）参照）、第２挟持面６ｂｂの位置Ｐ２が支点とされる。これら位置Ｐ１、Ｐ２は、膜部材６ｃの径方向（同図中左右方向）に対して寸法ｔだけ離間している。
【００４２】
しかして、膜部材６ｃが振動した際、第１挟持面６ａｂに対する振動の支点Ｐ１（一方への変位時の支点）と第２支持面６ｂｂに対する振動の支点Ｐ２（反対側への変位時の支点）とが径方向で異なる位置（寸法ｔだけ離間）とされたので、一方へ変位する場合とその反対側へ変位する場合とで負荷を分散させ、振動による負荷が集中してしまうのを回避できるので、膜部材６ｃの寿命を向上させることができる。なお、離間寸法ｔについては、膜部材６ｃに加わる負荷を分散できるように、膜部材６ｃの膜厚等に応じて適宜寸法を変更可能である。
【００４３】
上記実施形態においては、第１挟持面６ａｂが膜部材６ｃの径方向に対して傾斜したテーパ面（所定の傾斜角を有する勾配面）から成るとともに、第２挟持面６ｂｂが膜部材６ｃの径方向に対して略平行な水平面から成り、当該テーパ面（すなわち、テーパ面と水平面）により適正挟持範囲Ａ、第１挟持範囲Ｂ及び第２挟持範囲Ｃが設定されているが、これに代えて、図１１に示すように、第２挟持面６ｂｂが膜部材６ｃの径方向に対して傾斜したテーパ面（所定の傾斜角を有する勾配面）から成るとともに、第１挟持面６ａｂが膜部材６ｃの径方向に対して略平行な水平面から成り、当該テーパ面（すなわち、テーパ面と水平面）により適正挟持範囲Ａ、第１挟持範囲Ｂ及び第２挟持範囲Ｃが設定されるようにしてもよい。
【００４４】
さらに、図１２に示すように、第１挟持面６ａｂ及び第２挟持面６ｂｂがそれぞれ膜部材６ｃの径方向に対して傾斜したテーパ面（外径方向に向かって互いに近接するテーパ面）から成るものとし、これら向かい合う一対のテーパ面により適正挟持範囲Ａ、第１挟持範囲Ｂ及び第２挟持範囲Ｃが設定されるようにしてもよい。このように、図１１、１２で示すものの場合であっても、適正挟持範囲Ａを挟んで第１挟持範囲Ｂ及び第２挟持範囲Ｃが膜部材６ｃの径方向に対して連続的に設定されたので、膜部材６ｃを適正な挟持力にて挟持させることができ、膜部材６ｃのシールを十分に維持させつつ破損を防止することができる。
【００４５】
以上、本実施形態について説明したが、本発明はこれらに限定されるものではなく、例えば、図１３に示すように、第１挟持面６ａｂが膜部材６ｃの径方向に対して傾斜したテーパ面（膜部材６ｃの外径に向かうに従って第２挟持面６ｂｂとの離間寸法が大きくなる如き勾配（外径に向かって上り勾配）のテーパ面）から成るとともに、第２挟持面６ｂｂが膜部材６ｃの径方向に対して略平行な水平面から成り、当該テーパ面（すなわち、テーパ面と水平面）により適正挟持範囲Ａ、第１挟持範囲Ｂ及び第２挟持範囲Ｃが設定されるものとしてもよい。
【００４６】
この場合、挟持部αには、適正挟持範囲Ａを挟んで外径側（同図右側）に第１挟持範囲Ｂ、及び内径側（同図左側）に第２挟持範囲Ｃが設定されることとなり、適正挟持範囲Ａより外側をより弱く挟持させる第１挟持範囲Ｂとしつつ、当該適正範囲Ａより内側をより強く挟持させる第２挟持範囲Ｃとすることができる。なお、図１３のものに代え、第２挟持面６ｂｂが膜部材６ｃの径方向に対して傾斜したテーパ面（膜部材６ｃの外径に向かうに従って第１挟持面６ａｂとの離間寸法が大きくなる如き勾配（外径に向かって下り勾配）のテーパ面）から成るとともに、第１挟持面６ａｂが膜部材６ｃの径方向に対して略平行な水平面から成るものとしてもよい。
【００４７】
さらに、上記実施形態においては、何れも第１挟持面６ａｂ又は第２挟持面６ｂｂが膜部材６ｃの径方向に対して傾斜したテーパ面から成り、当該テーパ面により適正挟持範囲Ａ、第１挟持範囲Ｂ及び第２挟持範囲Ｃが設定されるものとされているが、これに代えて、図１４に示すように、第１挟持面６ａｂ（第２挟持面６ｂｂも同様）を波形として適正挟持範囲Ａ、第１挟持範囲Ｂ及び第２挟持範囲Ｃを連続的に設定するようにしてもよい。なお、図１４において、第１挟持面６ａｂのみを波形としたが、第１挟持面６ａｂと第２挟持面６ｂｂの両方を波形にしてもよい。この場合も、第１及び第２挟持面の接触面同士の隙間（離間距離）を径方向の外側に行くに従って狭くなるように形成する。
【００４８】
しかるに、上記何れの実施形態の場合であっても、第１挟持面６ａｂと第２挟持面６ｂｂとの間の角度は、０より大きく、且つ、４０度程度以下（より好ましくは３０度以下）に設定するのが好ましい。なお、図１４に示すように、第１挟持面６ａｂ（第２挟持面６ｂｂも同様）を波形とした場合、波の各頂点を結ぶ直線が、０より大きく、且つ、４０度程度以下（より好ましくは３０度以下）に設定するのが好ましい。すなわち、局所的には、この範囲を外れる部分があっても、全体として当該範囲に収まっていればよいのである。
【００４９】
またさらに、挟持部αの挟持面は、上記の如く直線状或いは波形のものに限定されず、図１５の二点鎖線で示すように、曲線状（円弧や放物線等）の面Ｆであってもよい。かかる面Ｆは、第２ハウジング部材６ｂ側に形成、或いは第１ハウジング部材６ａ及び第２ハウジング部材６ｂの両方に形成されたものであってもよい。この場合であっても、両挟持面の間の角度は、０より大きく、且つ、４０度程度以下（より好ましくは３０度以下）に設定するのが好ましい。
【００５０】
また、図１６に示すように、第１挟持面６ａｂにおける第２挟持範囲Ｃに凸部Ｇを形成するようにしてもよく、これにより、以下の如き効果を奏することができる。なお、凸部Ｇは、第２挟持面６ｂｂにおける第２挟持範囲Ｃに形成してもよい。すなわち、第２挟持範囲Ｃにおいては、適正挟持範囲Ａよりも強い挟持力とされるが、例えば膜部材６ｃの厚みのばらつきによって薄いものがあった場合、第２挟持範囲Ｃにおいても強い挟持力を得られない可能性がある。本実施形態によれば、第２挟持範囲Ｃに凸部Ｇを設けることで、膜部材６ｃが設定された寸法より薄いものであっても、強い挟持力を得ることができる。なお、凸部Ｇを溶融させて膜部材６ｃと挟持部αとを溶着するようにしてもよい。
【産業上の利用可能性】
【００５１】
挟持部が、第１挟持面及び第２挟持面の間の離間寸法が適正に設定された適正挟持範囲と、該適正挟持範囲より当該離間寸法が大きく設定された第１挟持範囲と、適正挟持範囲より離間寸法が小さく設定された第２挟持範囲とを有するとともに、適正挟持範囲を挟んで第１挟持範囲及び第２挟持範囲が膜部材の径方向に対して連続的に設定されたトランスデューサ保護フィルタであれば、外観形状が異なるもの或いは他の機能が付加されたもの等にも適用することができる。
【符号の説明】
【００５２】
１    血液回路
２    ダイアライザ
３    血液ポンプ
４    静脈側エアトラップチャンバ
５    透析装置本体
６    トランスデューサ保護フィルタ
６ａ  第１ハウジング部材
６ａｂ  第１挟持面
６ｂ  第２ハウジング部材
６ｂｂ  第２挟持面
７    圧力トランスデューサ
８    監視手段
α    挟持部
Ａ    適正挟持範囲
Ｂ    第１挟持範囲
Ｃ    第２挟持範囲
【図１】
2014204779.tif 000003
【図２】
2014204779.tif 000004
【図３】
2014204779.tif 000005
【図４】
2014204779.tif 000006
【図５】
2014204779.tif 000007
【図６】
2014204779.tif 000008
【図７】
2014204779.tif 000009
【図８】
2014204779.tif 000010
【図９】
2014204779.tif 000011
【図１０】
2014204779.tif 000012
【図１１】
2014204779.tif 000013
【図１２】
2014204779.tif 000014
【図１３】
2014204779.tif 000015
【図１４】
2014204779.tif 000016
【図１５】
2014204779.tif 000017
【図１６】
2014204779.tif 000018